(57)【要約】  ロック部材の作動凹部に引手を挿入しやすくすることができるスライドファスナー用スライダーを提供する。  スライドファスナー用スライダー１０は、胴体２０と、胴体２０の上面の前端部に立設される柱部３１に揺動可能に支持されるロック部材４０と、柱部３１及びロック部材４０を上方から覆うカバー部材５０と、カバー部材５０の後端部と胴体２０との間に形成され、引手１５の軸部１５ａが挿通される間隙Ｓを開閉する開閉部材６０と、を備え、開閉部材６０は、開閉部材６０の後端部に形成され、側面視略台形状の第１閉鎖部６１と、開閉部材６０の前端部に形成され、側面視略台形状の第２閉鎖部６２と、を有し、第２閉鎖部６２の上面６６が前上りに延びる平面状の斜面に形成される。
2012153426.tif 000002
【特許請求の範囲】
【請求項１】
胴体（２０，１２０）と、
前記胴体の上面の前端部に立設される柱部（３１，１３１）に揺動可能に支持されるロック部材（４０，１４０）と、
前記柱部及び前記ロック部材を上方から覆うカバー部材（５０，１５０）と、
前記カバー部材の後端部と前記胴体との間に形成され、引手（１５）の軸部（１５ａ）が挿通される間隙（Ｓ）を開閉する開閉部材（６０，１６０）と、を備え、
前記開閉部材が前記胴体に対して前後方向に摺動可能に設けられるスライドファスナー用スライダー（１０，１１０）であって、
前記開閉部材は、前記開閉部材の後端部に形成され、側面視略台形状の第１閉鎖部（６１，１６１）と、前記開閉部材の前端部に形成され、側面視略台形状の第２閉鎖部（６２，１６２）と、を有し、
前記第２閉鎖部の上面（６６）が前上りに延びる平面状の斜面に形成されることを特徴とするスライドファスナー用スライダー。
【請求項２】
前記第２閉鎖部（６２，１６２）は、前記上面（６６）、前面（６５）、及び後面（６７）を有し、
前記後面が前上りに延びる平面状の斜面に形成され、
前記上面の傾斜角度（θ１）が、前記後面の傾斜角度（θ２）よりも小さいことを特徴とする請求項１に記載のスライドファスナー用スライダー。
【請求項３】
前記カバー部材（５０，１５０）は、天板（５１，１５１）と、前記天板の両側縁から下方に延びる左右一対の側面板（５２，１５２）と、前記天板の前端部から下方に延びる前面板（５３，１５３）と、前記天板の後端部から下方に延びる後面板（５４，１５４）と、を有し、
前記左右一対の側面板は、その下端面において、下向きに凹状に形成される退避部（５５，１５５）及び引手収容部（５６，１５６）と、前記退避部と前記引手収容部との間に形成され、下方に延びる突片（５７，１５７）と、を有し、
前記第２閉鎖部（６２，１６２）の前記上面（６６）は、前記突片の下端面（５７ａ，１５７ａ）と対向して配置され、前記上面と前記突片の前記下端面との間の隙間が、前記胴体（２０，１２０）の前方に向けて漸次狭まることを特徴とする請求項１又は２に記載のスライドファスナー用スライダー。
【発明の詳細な説明】
【技術分野】
【０００１】
本発明は、スライドファスナー用スライダーに関し、より詳細には、引手を胴体に着脱可能なスライドファスナー用スライダーに関する。
【背景技術】
【０００２】
従来のスライドファスナー用スライダーとしては、胴体と、胴体の上面に立設される柱部に支持されるロック部材と、柱部及びロック部材を上方から覆うカバー部材と、柱部、ロック部材、及びカバー部材を貫通し、ロック部材の回転中心となるピンと、カバー部材の端部と胴体との間に形成され、引手が挿通される間隙を開閉する開閉部材と、を備えるものが知られている（例えば、特許文献１参照）。
【先行技術文献】
【特許文献】
【０００３】
【特許文献１】日本国実公平４−３２９７４号公報
【発明の概要】
【発明が解決しようとする課題】
【０００４】
しかしながら、上記特許文献１に記載のスライドファスナー用スライダーでは、開閉部材の第２閉塞部の上面が胴体の上翼板と略平行に形成されているため、ロック部材の作動凹部に引手を挿入し難くなる場合があった。【０００５】
本発明は、前述した事情に鑑みてなされたものであり、その目的は、ロック部材の作動凹部に引手を挿入しやすくすることができるスライドファスナー用スライダーを提供することにある。
【課題を解決するための手段】
【０００６】
本発明の上記目的は、下記の構成により達成される。
（１）胴体と、胴体の上面の前端部に立設される柱部に揺動可能に支持されるロック部材と、柱部及びロック部材を上方から覆うカバー部材と、カバー部材の後端部と胴体との間に形成され、引手の軸部が挿通される間隙を開閉する開閉部材と、を備え、開閉部材が胴体に対して前後方向に摺動可能に設けられるスライドファスナー用スライダーであって、開閉部材は、開閉部材の後端部に形成され、側面視略台形状の第１閉鎖部と、開閉部材の前端部に形成され、側面視略台形状の第２閉鎖部と、を有し、第２閉鎖部の上面が前上りに延びる平面状の斜面に形成されることを特徴とするスライドファスナー用スライダー。
（２）第２閉鎖部は、上面、前面、及び後面を有し、後面が前上りに延びる平面状の斜面に形成され、上面の傾斜角度が、後面の傾斜角度よりも小さいことを特徴とする（１）に記載のスライドファスナー用スライダー。
（３）カバー部材は、天板と、天板の両側縁から下方に延びる左右一対の側面板と、天板の前端部から下方に延びる前面板と、天板の後端部から下方に延びる後面板と、を有し、左右一対の側面板は、その下端面において、下向きに凹状に形成される退避部及び引手収容部と、退避部と引手収容部との間に形成され、下方に延びる突片と、を有し、第２閉鎖部の上面は、突片の下端面と対向して配置され、上面と突片の下端面との間の隙間が、胴体の前方に向けて漸次狭まることを特徴とする（１）又は（２）に記載のスライドファスナー用スライダー。
【発明の効果】
【０００７】
本発明のスライドファスナー用スライダーによれば、開閉部材の第２閉鎖部の上面が前上りに延びる平面状の斜面に形成されるため、引手の軸部が作動凹部の底（奥）部分に入り込もうとする作用が生じて、ロック部材の作動凹部に引手の軸部を挿入しやすくすることができる。
【図面の簡単な説明】
【０００８】
【図１】本発明に係るスライドファスナー用スライダーの第１実施形態を説明する分解斜視図である。
【図２】図１に示すスライドファスナー用スライダーの引手が装着されていない状態の縦断面図である。
【図３】図２に示す開閉部材の拡大断面図である。
【図４】引手の軸部が挿通間隙に押し込まれた状態を説明するスライダーの縦断面図である。
【図５】引手の軸部が開閉部材の谷部に入り込んだ状態を説明するスライダーの縦断面図である。
【図６】引手の軸部が挿通間隙に更に押し込まれた状態を説明するスライダーの縦断面図である。
【図７】引手の軸部がカバー部材の引手収容部に入り込んだ状態を説明するスライダーの縦断面図である。
【図８】引手の軸部がロック部材の作動凹部に収容された状態を説明するスライダーの縦断面図である。
【図９】第１実施形態のスライドファスナー用スライダーにおいて、引手が後方に引っ張られた際の引手の軸部の状態を説明する拡大縦断面図である。
【図１０】開閉部材の第２閉鎖部の高さを低くした場合において、引手が後方に引っ張られた際の引手の軸部の状態を説明する拡大縦断面図である。
【図１１】本発明に係るスライドファスナー用スライダーの第２実施形態を説明する分解斜視図である。
【図１２】図１１に示すスライドファスナー用スライダーの引手が装着されていない状態の縦断面図である。
【発明を実施するための形態】
【０００９】
以下、本発明に係るスライドファスナー用スライダーの各実施形態について、図面に基づいて詳細に説明する。なお、以後の説明において、上側とは図２の紙面に対して上側、下側とは図２の紙面に対して下側、前側とは図２の紙面に対して左側、後側とは図２の紙面に対して右側、右側とは図２の紙面に対して奥側、左側とは図２の紙面に対して手前側とする。また、スライダーの左右方向は幅方向ともいう。
【００１０】
（第１実施形態）
まず、図１〜図９を参照して、本発明に係るスライドファスナー用スライダーの第１実施形態について説明する。
【００１１】
本実施形態のスライドファスナー用スライダー１０は、引手を胴体に着脱可能な自動停止機能付きスライダーであって、図１及び図２に示すように、胴体２０を備えており、この胴体２０は、上下方向に離間して並行に配置される上翼板２１及び下翼板２２と、上翼板２１及び下翼板２２を前端部において連結する案内柱２３と、上翼板２１の左右両側縁に沿って下方に向けて突設される上側フランジ２４ａと、下翼板２２の左右両側縁に沿って上方に向けて突設される下側フランジ２４ｂと、を備える。これにより、胴体２０の前部には案内柱２３により分離された左右の肩口２５が形成され、胴体２０の後部には後口２６が形成される。そして、上翼板２１と下翼板２２との間には、左右の肩口２５と後口２６とを連通する略Ｙ字状のエレメント案内路２７が形成され、このエレメント案内路２７は、不図示のファスナーエレメント列を挿通させる通路を構成する。
【００１２】
また、スライドファスナー用スライダー１０は、上翼板２１の上面の前端部に立設される柱部３１に上下に揺動可能に支持されるロック部材４０と、柱部３１及びロック部材４０を上方から覆うカバー部材５０と、柱部３１、ロック部材４０、及びカバー部材５０を貫通し、ロック部材４０の回転中心となるピン１１と、カバー部材５０の後端部と上翼板２１との間に形成され、引手１５の軸部１５ａが挿通される間隙Ｓ（以下、「挿通間隙Ｓ」と称する）を開閉する開閉部材６０と、を備える。
【００１３】
柱部３１は、ロック部材４０が嵌め込み可能な間隔をあけて離間した左右の壁部３１ａ，３１ｂを有しており、この左右の壁部３１ａ，３１ｂには、ピン１１が挿通されるピン挿通穴３１ｃが幅方向に沿ってそれぞれ形成されている。
【００１４】
ロック部材４０は、図１及び図２に示すように、ピン１１が挿通されるピン挿通穴４１ａを有する基部４１と、基部４１から後方に向けてそれぞれ延び、上下方向に対向して配置される上片部４２及び下片部４３と、を有する。また、上片部４２と下片部４３との間には、取付状態において、後口２６側に向かって開口し、引手１５の軸部１５ａを収容する作動凹部４４が形成されている。また、下片部４３の先端部には、上翼板２１に形成される爪穴３３を介してエレメント案内路２７に入り込む爪部４５が下方に向けて形成されている。また、爪穴３３は、上翼板２１の上面からエレメント案内路２７に貫通している。
【００１５】
カバー部材５０は、図１及び図２に示すように、上向きに凸状に湾曲した天板５１と、天板５１の両側縁から下方に延びる左右一対の側面板５２と、天板５１の前端部から下方に延びる前面板５３と、天板５１の後端部から下方に延びる後面板５４と、を有する。また、左右一対の側面板５２の後部の下端面には、退避部５５が胴体２０に対向して下向きに凹状に形成されている。また、左右一対の側面板５２の中央部の下端面には、引手収容部５６が胴体２０に対向して下向きに凹状に形成されている。また、退避部５５と引手収容部５６との間には、下方に延びる突片５７が形成されている。
【００１６】
そして、ロック部材４０は、柱部３１の左右の壁部３１ａ，３１ｂ間に挿入され、ロック部材４０のピン挿通穴４１ａ及び左右の壁部３１ａ，３１ｂのピン挿通穴３１ｃにピン１１が挿通されることにより、胴体２０に対して上下に揺動可能に軸支される。また、ピン１１は、カバー部材５０の左右一対の側面板５２に形成される貫通穴５２ａに挿入されており、カバー部材５０は、ピン１１を介して柱部３１に対して固定される。
【００１７】
また、図２に示すように、ロック部材４０は、スライダー１０に内蔵された第１コイルばね１２により、ロック部材４０の爪部４５がエレメント案内路２７に入り込むように付勢されている。具体的には、ロック部材４０の基部４１の下面に形成されるばね受け面４１ｂと案内柱２３に形成されるばね保持孔２３ａとの間に、第１コイルばね１２が縮設されており、ロック部材４０は、この第１コイルばね１２の付勢力をばね受け面４１ｂが受けることによりピン１１を支点にして揺動し、爪部４５が爪穴３３からエレメント案内路２７に突出するように常時付勢されている。なお、ばね受け面４１ｂは、ロック部材４０の基部４１のピン挿通穴４１ａの前方且つ下方部分において、ロック部材４０の上方へ段差状に窪んだ面に形成される。また、ばね保持孔２３ａは、スライダー１０の上下方向に沿って延びており、第１コイルばね１２を載せるための底面を有する。
【００１８】
開閉部材６０は、図１及び図２に示すように、胴体２０に取り付けられた状態においてロック部材４０と接触しないように、平面視略Ｕ字状に形成されており、開閉部材６０の後端部に形成され、側面視略台形状の第１閉鎖部６１と、開閉部材６０の前端部に形成され、側面視略台形状の第２閉鎖部６２と、第１閉鎖部６１と第２閉鎖部６２との間に形成される凹状の谷部６３と、を有する。
【００１９】
また、開閉部材６０の両側面の下端部には、上翼板２１の後部上面に前後方向に沿って形成されるガイド溝３５にスライド可能に嵌合するガイド部６４がそれぞれ形成されている。これにより、開閉部材６０は、胴体２０に対して前後方向に摺動可能に設けられる。また、開閉部材６０の前端部とガイド溝３５内に形成されるばね保持溝３５ａとの間には、第２コイルばね１３が縮設されており、開閉部材６０は、この第２コイルばね１３の付勢力により、後口２６側に常時付勢されている。
【００２０】
また、上翼板２１の上面の後端部には、開閉部材６０を挿通間隙Ｓを閉鎖する間隙閉鎖位置にて停止すると共に、開閉部材６０のガイド溝３５からの離脱を阻止する左右一対のストッパ３６が形成される。そして、開閉部材６０を挿通間隙Ｓを開放する間隙開放位置へとスライドさせ、引手１５の軸部１５ａを挿通間隙Ｓに挿通させることにより、軸部１５ａは、ロック部材４０の作動凹部４４内に収容される。
【００２１】
そして、図３に示すように、開閉部材６０の第２閉鎖部６２は、前面６５、上面６６、及び後面６７を有し、その上面６６及び後面６７は、前上りに延びる平面状の斜面に形成されている。また、上面６６は、開閉部材６０の下面（上翼板２１の上面）に対して１５度〜３０度の角度θ１で上り傾斜する面である。さらに、上面６６の傾斜角度θ１は、後面６７の傾斜角度θ２よりも小さく設定されている。
【００２２】
また、後面６７は、開閉部材６０の下面に対して４５度〜６０度の角度θ２で上り傾斜する面である。また、前面６５は、前下りで延びる平面状の斜面に形成され、開閉部材６０の下面に対して４５度〜７０度の角度θ３で下り傾斜する面である。また、上面６６と前面６５の交点は、上面６６と後面６７の交点よりも上方に配置されている。
【００２３】
また、カバー部材５０の突片５７は、開閉部材６０と上下方向に対向して配置されており、その突片５７の下端面５７ａは、開閉部材６０が隙閉鎖位置にて停止している時、開閉部材６０の第２閉鎖部６２の上面６６と対面する。また、突片５７の下端面５７ａは、上翼板２１の上面と平行な面に形成される。そして、突片５７の下端面５７ａが上翼板２１の上面と平行な面であるのに、第２閉鎖部６２の上面６６が上翼板２１の上面に対して前上りに傾斜する面であるので、第２閉鎖部６２の上面６６と突片５７の下端面５７ａとの間の隙間が、胴体２０の前方に向けて漸次狭まるようになっている。
【００２４】
次に、図４〜図８を参照して、スライドファスナー用スライダー１０に引手１５を取り付ける手順を説明する。
【００２５】
まず、図４に示すように、引手１５の軸部１５ａを挿通間隙Ｓ内に後方から前方に押し込むことにより、開閉部材６０が前方にスライドして、引手１５の軸部１５ａがカバー部材５０の退避部５５内に入り込むと共に、図５に示すように、開閉部材６０が後方にスライドして、引手１５の軸部１５ａが開閉部材６０の谷部６３に入り込む。
【００２６】
次いで、図６に示すように、引手１５の軸部１５ａを挿通間隙Ｓ内において更に前方に押し込むことにより、開閉部材６０が前方にスライドして、引手１５の軸部１５ａがカバー部材５０の引手収容部５６内にロック部材４０を上方に持ち上げながら入り込む（図７参照）と共に、図８に示すように、開閉部材６０が後方にスライドして、引手１５の軸部１５ａがロック部材４０の作動凹部４４に挿入される。
【００２７】
このように構成されたスライドファスナー用スライダー１０では、図６及び図７に示すように、引手１５の軸部１５ａがカバー部材５０の退避部５５内から前方に押し込まれることにより、軸部１５ａが開閉部材６０の第２閉鎖部６２の上面６６及び後面６７に接触して、軸部１５ａが前方且つ上方に案内される。これにより、引手１５の軸部１５ａがロック部材４０の作動凹部４４に容易に挿入される。
【００２８】
ここで、引手１５の軸部１５ａを挿入しやすくするために、開閉部材６０の第２閉鎖部６２の高さを低くすることも考えられるが、この場合、引手１５が後方に引っ張られると、図１０に示すように、軸部１５ａがカバー部材５０の突片５７の前方角部に接触して、カバー部材５０を上方に持ち上げようとする曲げ応力が発生してしまう。しかし、本実施形態では、上面６６を前上りの斜面に形成して、第２閉鎖部６２の高さを十分に確保しているので、引手１５が後方に引っ張られたとしても、図９に示すように、軸部１５ａがカバー部材５０の突片５７の前面に接触して、カバー部材５０を持ち上げようとする曲げ応力はほぼ発生しない。
【００２９】
以上説明したように、本実施形態のスライドファスナー用スライダー１０によれば、第２閉鎖部６２の上面６６が前上りに延びる平面状の斜面に形成されるため、引手１５を挿入する際に、引手１５の軸部１５ａが斜面状の上面６６により上方に案内されると、軸部１５ａが、ロック部材４０の上片部４２を自動的に持ち上げ、上面６６と上片部４２との間を通って、作動凹部４４の底（奥）部分に入り込もうとする作用が生じる。これにより、ロック部材４０の作動凹部４４に引手１５の軸部１５ａを挿入しやすくすることができる。
【００３０】
（第２実施形態）
次に、図１１及び図１２を参照して、本発明に係るスライドファスナー用スライダーの第２実施形態について説明する。なお、上記第１実施形態と同一又は同等部分については、図面に同一符号を付してその説明を省略或いは簡略化する。
【００３１】
本実施形態では、上記第１実施形態と同様に、図１１及び図１２に示すスライドファスナー用スライダー１１０の開閉部材１６０の第２閉鎖部１６２の上面６６が、前上りに延びる平面状の斜面に形成されている。また、第２閉鎖部１６２の前面６５及び後面６７も上記第１実施形態と同様である。
【００３２】
スライドファスナー用スライダー１１０は、引手を胴体に着脱可能な自動停止機能付きスライダーであって、図１１及び図１２に示すように、胴体１２０を備えており、この胴体１２０は、上下方向に離間して並行に配置される上翼板１２１及び下翼板１２２と、上翼板１２１及び下翼板１２２を前端部において連結する案内柱１２３と、上翼板１２１の左右両側縁に沿って下方に向けて突設される上側フランジ１２４ａと、下翼板１２２の左右両側縁に沿って上方に向けて突設される下側フランジ１２４ｂと、を備える。これにより、胴体１２０の前部には案内柱１２３により分離された左右の肩口１２５が形成され、胴体１２０の後部には後口１２６が形成される。そして、上翼板１２１と下翼板１２２との間には、左右の肩口１２５と後口１２６とを連通する略Ｙ字状のエレメント案内路１２７が形成され、このエレメント案内路１２７は、不図示の左右一対のファスナーエレメント列を挿通させる通路を構成する。
【００３３】
また、スライドファスナー用スライダー１１０は、上翼板１２１の上面の前端部に立設される柱部１３１に上下に揺動可能に支持されるロック部材１４０と、上翼板１２１の上面の前端部に取り付けられ、柱部１３１及びロック部材１４０を上方から覆うカバー部材１５０と、カバー部材１５０の後端部と上翼板１２１との間に形成され、引手１５の軸部１５ａが挿通される間隙Ｓ（以下、「挿通間隙Ｓ」と称する）を開閉する開閉部材１６０と、を備える。
【００３４】
柱部１３１は、ロック部材１４０が嵌め込み可能な間隔をあけて離間した左右の壁部１３１ａ，１３１ｂと、左右の壁部１３１ａ，１３１ｂ間に形成される支持凸部１３２と、を有する。
【００３５】
ロック部材１４０は、図１１及び図１２に示すように、胴体１２０の柱部１３１に支持される基部１４１と、基部１４１から後方に向けてそれぞれ延び、上下方向に対向して配置される上片部１４２及び下片部１４３と、を有する。また、上片部１４２と下片部１４３との間には、取付状態において、後口１２６側に向かって開口し、引手１５の軸部１５ａを収容する作動凹部１４４が形成されている。また、下片部１４３の先端部には、上翼板１２１に形成される爪穴１３３を介してエレメント案内路１２７に入り込む爪部１４５が下方に向けて形成されている。また、基部１４１の下面には、柱部１３１の支持凸部１３２に揺動可能に支持される支持凹部１４１ａが形成されている。また、爪穴１３３は、上翼板１２１の上面からエレメント案内路１２７に貫通している。
【００３６】
カバー部材１５０は、図１１及び図１２に示すように、上向きに凸状に湾曲した天板１５１と、天板１５１の両側縁から下方に延びる左右一対の側面板１５２と、天板１５１の前端部から下方に延びる前面板１５３と、天板５１の後端部から下方に延びる後面板１５４と、を有する。また、左右一対の側面板１５２の後部の下端面には、退避部１５５が胴体１２０に対向して下向きに凹状に形成されている。また、左右一対の側面板１５２の中央部の下端面には、引手収容部１５６が胴体１２０に対向して下向きに凹状に形成されている。また、退避部１５５と引手収容部１５６との間には、下方に延びる突片１５７が形成されている。
【００３７】
また、左右一対の側面板１５２の前端側下端部には、上翼板１２１の前端部に形成される嵌合溝１３４に嵌合する嵌合片１５８がそれぞれ形成されている。そして、この嵌合片１５８を嵌合溝１３４に嵌合し、左右一対の側面板１５２を柱部１３１の左右の壁部１３１ａ，１３１ｂの外側面に形成される凹部１３１ｃにかしめることによって、カバー部材１５０は、その前端部が上翼板１２１の前端部に固定され、胴体１２０に対して前後方向に沿って片持状に取り付けられる。また、嵌合溝１３４は、柱部１３１の左右にそれぞれ形成され、胴体１２０の前後方向に延びている。また、嵌合片１５８は、カバー部材１５０の左右一対の側面板１５２の下端から側方へ突出している。
【００３８】
また、ロック部材１４０とカバー部材１５０との間には、ロック部材１４０の爪部１４５がエレメント案内路１２７に入り込むように付勢する長方形の板ばね１７０が設けられている。この板ばね１７０の前後端部には、係止凹部１７１がそれぞれ形成されており、この前後の係止凹部１７１を、カバー部材１５０の天板１５１の前後に形成される係止凸部１５１ａにそれぞれ係止させることにより、カバー部材１５０内に板ばね１７０が装着される。また、係止凸部１５１ａは、カバー部材１５０の内部（天板１５１、左右一対の側面板１５２、前面板１５３、及び後面板１５４により囲まれた空間内）に配置されている。
【００３９】
開閉部材１６０は、図１１及び図１２に示すように、胴体１２０に取り付けられた状態においてロック部材１４０と接触しないように、平面視略Ｕ字状に形成されており、開閉部材１６０の後端部に形成され、側面視略台形状の第１閉鎖部１６１と、開閉部材１６０の前端部に形成され、側面視略台形状の第２閉鎖部１６２と、第１閉鎖部１６１と第２閉鎖部１６２との間に形成される凹状の谷部１６３と、を有する。
【００４０】
また、開閉部材１６０の両側面の下端部には、上翼板１２１の後部上面に前後方向に沿って形成されるガイド溝１３５にスライド可能に嵌合するガイド部１６４がそれぞれ形成されている。これにより、開閉部材１６０は、胴体１２０に対して前後方向に摺動可能に設けられる。また、開閉部材１６０の前端部とガイド溝１３５内に形成されるばね保持溝１３５ａとの間には、コイルばね１１２が縮設されており、開閉部材１６０は、このコイルばね１１２の付勢力により、後口１２６側に常時付勢されている。
【００４１】
また、上翼板１２１の上面の後端部には、開閉部材１６０を挿通間隙Ｓを閉鎖する間隙閉鎖位置にて停止すると共に、開閉部材１６０のガイド溝１３５からの離脱を阻止する左右一対のストッパ１３６が形成されている。そして、開閉部材１６０を挿通間隙Ｓを開放する間隙開放位置へとスライドさせ、引手１５の軸部１５ａを挿通間隙Ｓに挿通させることにより、軸部１５ａは、ロック部材１４０の作動凹部１４４内に収容される。
【００４２】
また、カバー部材１５０の突片１５７は、開閉部材１６０と上下方向に対向して配置されており、その突片１５７の下端面１５７ａは、開閉部材１６０が隙閉鎖位置にて停止している時、開閉部材１６０の第２閉鎖部１６２の上面６６と対面する。また、突片１５７の下端面１５７ａは、上翼板１２１の上面と平行な面に形成される。そして、突片１５７の下端面１５７ａが上翼板１２１の上面と平行な面であるのに、第２閉鎖部１６２の上面６６が上翼板１２１の上面に対して前上りに傾斜する面であるので、第２閉鎖部１６２の上面６６と突片１５７の下端面１５７ａとの間の隙間が、胴体１２０の前方に向けて漸次狭まるようになっている。
その他の構成及び作用効果については、上記第１実施形態と同様である。
【００４３】
なお、本発明は上記実施形態に例示したものに限定されるものではなく、本発明の要旨を逸脱しない範囲において適宜変更可能である。
【符号の説明】
【００４４】
１０，１１０    スライドファスナー用スライダー
２０，１２０    胴体
３１，１３１    柱部
４０，１４０    ロック部材
５０，１５０    カバー部材
５１，１５１    天板
５２，１５２    側面板
５３，１５３    前面板
５４，１５４    後面板
５５，１５５    退避部
５６，１５６    引手収容部
５７，１５７    突片
５７ａ，１５７ａ    下端面
６０，１６０    開閉部材
６１，１６１    第１閉鎖部
６２，１６２    第２閉鎖部
６５    前面
６６    上面
６７    後面
１５    引手
１５ａ  軸部
Ｓ    挿通間隙
θ１    上面の傾斜角度
θ２    後面の傾斜角度
θ３    前面の傾斜角度
【図１】
2012153426.tif 000003
【図２】
2012153426.tif 000004
【図３】
2012153426.tif 000005
【図４】
2012153426.tif 000006
【図５】
2012153426.tif 000007
【図６】
2012153426.tif 000008
【図７】
2012153426.tif 000009
【図８】
2012153426.tif 000010
【図９】
2012153426.tif 000011
【図１０】
2012153426.tif 000012
【図１１】
2012153426.tif 000013
【図１２】
2012153426.tif 000014
【国際調査報告】
2012153426.tif 000015
2012153426.tif 000016
2012153426.tif 000017
2012153426.tif 000018